(57)【要約】【課題】  人が横になった際に床面からの衝撃を緩和することができ、人が手に持って効率よく搬送することができる搬送マットを提供する。【解決手段】  シート状の底材４と、該底材の裏面の左右両側に備わる複数個の取っ手と３を有し、前記底材４の表面にはクッション材とこれを覆うカバー材６が備わり、前記取っ手３は前記底材４の周辺からはみ出ない位置に備わる。【選択図】        図１
2007105096.tif 000002
【特許請求の範囲】
【請求項１】
シート状の底材と、
該底材の裏面の左右両側に備わる複数個の取っ手とを有し、
前記底材の表面にはクッション材とこれを覆うカバー材が備わり、
前記取っ手は前記底材の周辺からはみ出ない位置に備わることを特徴とする搬送マット。
【請求項２】
前記取っ手は前記底材の左右それぞれに４つ備わることを特徴とする請求項１に記載の搬送マット。
【請求項３】
前記底材とクッション材とカバー材からなるマット部は、折畳み可能であることを特徴とする請求項１又は２に記載の搬送マット。
【発明の詳細な説明】
【技術分野】
【０００１】
本発明は、災害時等に人が横たわるためのマットとして使用でき、さらに被災者を搬送することもできる搬送マットに関する。
【背景技術】
【０００２】
火災や地震等の災害時において、被災者等を横たわらせるために災害用のシートが用いられている。このようなシートには取っ手が設けられ、この取っ手を持ってシート上に横たわる人を搬送することができる。このように取っ手を設けることにより、シート上に横たわる人を搬送する際に、担架等に載せ代えることなく迅速に搬送することができる。しかし、この取っ手がシートからはみ出たり、外部に露出していたりすると、歩く人がこれに引っかかる恐れがある。
【０００３】
火災、地震等の発生の緊急の際に、病院等において寝ている、迅速な歩行、走行が不可能な高齢者等を安全かつ迅速に非難させうる寝具が特許文献１に記載されている。この寝具は寝具本体の周縁に把持部を設けたものである。この把持部は、人間の足に引っかかることを防止するため寝具本体の周縁よりも内方に設けられている。しかし、特許文献１の寝具は、ベッドパッドにより形成され、このベッドパッドは一枚布により形成されている。その厚さは、約１ｃｍ程度である。このベッドパッドでは、人が横になった際に床面からの衝撃を受けやすい。特に、急に横になったり、倒れ掛かるように横になった場合にはその衝撃は大きいものとなる。
【０００４】
【特許文献１】特開２０００−１３７２９４号公報
【発明の開示】
【発明が解決しようとする課題】
【０００５】
本発明は、人が横になった際に床面からの衝撃を緩和することができ、人が手に持って効率よく搬送することができる搬送マットの提供を目的とする。
【課題を解決するための手段】
【０００６】
前記目的を達成するため、請求項１の発明では、シート状の底材と、該底材の裏面の左右両側に備わる複数個の取っ手とを有し、前記底材の表面にはクッション材とこれを覆うカバー材が備わり、前記取っ手は前記底材の周辺からはみ出ない位置に備わることを特徴とする搬送マットを提供する。
【０００７】
請求項２の発明は、請求項１の発明において、前記取っ手は前記底材の左右それぞれに４つ備わることを特徴としている。
【０００８】
請求項３の発明は、請求項１又は２の発明において、前記底材とクッション材とカバー材からなるマット部は、折畳み可能であることを特徴としている。
【発明の効果】
【０００９】
請求項１の発明によれば、底材の表面にクッション材が備わるため、人が横になった際に床面からの衝撃が緩和される。また、寝心地がよく、ゆっくりと休憩を取ることができるマットとしても使用できる。さらに、取っ手が底材の周辺からはみ出ていないため、歩行者の足が取っ手に引っかかって躓いたり、寝ていた人が起きがけに足を引っかけたりすることを防止できる。
【００１０】
請求項２の発明によれば、取っ手が底材の左右それぞれに４つ備わるため、マットの左右それぞれ２人で両手で取っ手を持って、４人で持ち上げて搬送することが可能となる。したがって、被搬送者を４人でバランスよく確実に支えながら効率よく搬送することができる。
【００１１】
請求項３の発明によれば、マット部が折畳み可能であるため、使用しないときはコンパクトに畳んだ状態で保管が可能となり、収納に場所をとらない。
【発明を実施するための最良の形態】
【００１２】
図１は本発明に係る搬送マットを示し、（Ａ）は上面図、（Ｂ）は裏面図、（Ｃ）は折畳んだ状態を示す概略図である。図２（Ａ）は図１（Ａ）のＡ−Ａ視図、（Ｂ）はＢ−Ｂ視図、（Ｃ）はＣ−Ｃ断面図である。図３は取っ手の取付け部分の概略図である。
【００１３】
本発明に係る搬送マット１は、マット本体２と取っ手３で構成される。マット本体２は、図２（Ｃ）に示されるように、底材４、クッション材５、カバー材６で構成される。クッション材５は底材４の上面（表面）側に備わり、カバー材６で覆われる。カバー材６はその周縁部において底材４に取付けられる。底材４は防水素材等の通水性のないものを用いる。これにより、患者をマットに乗せたとき患者の体液等で搬送マット１を置いた床面を汚すことが防止でき、また逆に床側の水等がクッション材にしみ込んで患者に不快感を与えることが防止される。クッション材５はウレタンフォーム等を用いることができる。カバー材は不織布等を用いることができる。
【００１４】
このように、マット本体２にクッション材５を備えることにより、人が搬送マット１に横たわったときに生じる床面からの衝撃を緩和できる。したがって、例えば屋外の地面等でも使用できる。また、クッション材５により快適な寝心地を得ることができる。特に、被災地等の避難場所で休憩あるいは宿泊をする場合に、床ずれなどを起こすことを防止できる。
【００１５】
また、クッション材５はマット本体２の左右方向に山形となるように（図２（Ａ））カバー材６に対して縫合される。これにより、マット本体２に横になった人が搬送マット１上に安定して寝ることができ、さらに、クッション材５が片側に寄ることを防止できる。
【００１６】
取っ手３は底材４の下面（裏面）の左右両側縁に４つずつ、合計８個取付けられる。搬送マット１で人を搬送する場合、マット本体２の左右に２人ずつ搬送者を配置し、左右の搬送者はそれぞれ自分がいる側の２つの取っ手を掴む。これにより、搬送者４人で搬送マット１を持ち上げて効率よく搬送することができる。また、被搬送者の左右両側で４つの取っ手を持つことによりマット本体２を支えるため、被搬送者を安定して確実に支えながら効率よく搬送することができる。取っ手３としては、ベルト等に用いる布材や皮材を用いることができる。
【００１７】
取っ手３は、例えば底材４に対して糸７等を用いて両端部を縫合されて取付けられる。このように取付けることにより、取っ手３と底材４の間に隙間が生じることはないので、底材４の裏面をほぼフラットな状態にすることができる。したがって、搬送マット１を床面に載置して人が横たわったときに、取っ手３があることによる違和感を抑制できる。また、取っ手３が底材４の周縁からはみ出ることはないので、歩行者が取っ手３に足を引っ掛けたり、起きがけに足を引っかけたりすることを防止できる。また、取っ手３を取付けるための余剰幅をマット本体２に設ける必要がないので、必要最低限の大きさでコンパクトな搬送マット１を形成できる。なお、搬送マット１の大きさは１９００（ｍｍ）×６３０（ｍｍ）程度が好ましい。このように、本発明に係る搬送マット１は、普段は人が横になるマットとして使用でき、さらに緊急時には人を搬送できる搬送マットとしても使用できるものである。
【００１８】
搬送マット１は３つ折に折畳み可能である（図１（Ｃ））。なお、図では取っ手３は省略している。このように、折畳み可能とすることにより、使用しないときはコンパクトに畳んだ状態で保管が可能となり、収納に場所をとらない。また、現場に搬送する際も少ないスペースで多くの搬送マット１を搬送できる。なお、この保管や搬送の際には折畳んだ搬送マット１を袋に入れ、陰圧をかけてさらにコンパクトにすることもできる。
【産業上の利用可能性】
【００１９】
本発明は、人が横たわるのに十分なマットとして使用できるとともに、横たわる人をそのまま搬送する場合に適用できる。
【図面の簡単な説明】
【００２０】
【図１】本発明に係る搬送マットを示し、（Ａ）は上面図、（Ｂ）は裏面図、（Ｃ）は折畳んだ状態を示す概略図。
【図２】（Ａ）は図１（Ａ）のＡ−Ａ視図、（Ｂ）はＢ−Ｂ視図、（Ｃ）はＣ−Ｃ断面図。
【図３】取っ手の取付け部分の概略図。
【符号の説明】
【００２１】
１：搬送マット、２：マット本体、３：取っ手、４：底材、５：クッション材、６：カバー材、７：糸。
【図１】
2007105096.tif 000003
【図２】
2007105096.tif 000004
【図３】
2007105096.tif 000005